(57)【要約】      （修正有）【課題】有効的にダイエット効果が得られる温石浴装置を提供する。【解決手段】温石浴装置本体Ａ１に配置され利用者Ｍが横たわることができる敷石層２と、敷石層２を加熱する加熱手段と、酸素を利用者Ｍが十分吸えるように供給する酸素供給装置と腹式呼吸方法が音声として流される音声発生手段とを備え、前記加熱手段により敷石層２を加熱し、酸素供給装置からの酸素を利用者Ｍに与えると共に音声発生手段により腹式呼吸方法を音声として流すようにした。これにより、利用者は発汗作用が促されリフレッシュ効果や遠赤外線効果が得られるばかりでなく、同時に血液内に多くの酸素を取り込むことができ、身体の各組織の活動が活発化され体脂肪が燃焼して落とされ、有効的にダイエット効果が得られる。【選択図】図３
2007307282.tif 000002
【特許請求の範囲】
【請求項１】
温石浴装置本体内に配置され利用者が横たわることができる敷石層と、前記敷石層を加熱する加熱手段と、酸素を前記利用者が十分吸えるように供給する酸素供給装置とを備え、前記加熱手段により前記敷石層を加熱して前記利用者の発汗作用を促すと共に前記酸素供給装置からの酸素を前記利用者に与えるようにしたことを特徴とする温石浴装置。
【請求項２】
前記敷石層の側方に配設され供給した水を蒸発させるための蒸発皿樋と前記蒸発皿樋の水を加熱する加熱手段とを設け、前記温石浴装置本体を密閉状に覆うと共に前記蒸発皿の水を加熱して湿度を高めるようにした請求項１記載の温石浴装置。
【請求項３】
所定個所に設けられる音声発生手段と該音声発生手段が接続され前記酸素を吸う呼吸方法が音声で再生できる音声再生装置とを設け、前記音声再生装置を作動させ前記音声発生手段から前記酸素を吸う呼吸方法を音声として流すようにした請求項１又は２記載の温石浴装置。
【請求項４】
前記加熱手段は、液体が還流する密閉型の放熱管と該液体を加熱する温水器とからなる請求項１又は２又は３記載の温石浴装置。
【請求項５】
前記蒸発皿樋にラドン含有水等の温泉水を貯留するようにした請求項２又は３又は４記載の温石浴装置。
【発明の詳細な説明】
【技術分野】
【０００１】
本発明は、利用者が横たわることができる敷石層の温度を高めて利用者の身体を温めると共に酸素供給装置からの酸素を該利用者が十分に吸えるようにした温石浴装置に関するものである。
【背景技術】
【０００２】
近時、健康志向ブームに乗せてこの種の温石浴装置が話題を呼んでいる。該温石浴装置は、例えば、利用者が仰臥する温石浴装置本体と、該温石浴装置本体の上方に位置し蓋となる覆いカバーと、前記温石浴装置本体内に配置される本体とを備え、該本体は本体容器と該本体容器内に配置されるパネルとパネル上に取り付けられる加熱手段としてのヒータとを含み、前記本体容器内に黒鉛珪石、ホルンフェルス等によって構成される鉱物の粉末が混入された敷石層としてのモルタルを充填した構成からなる。そして、利用者がモルタルの上面に仰臥し覆いカバーを閉め、この状態で前記ヒータによってモルタルを加熱することにより該利用者の身体が温められて遠赤外線効果やサウナ効果が得られるようにしている（例えば、特許文献１参照。）。
【特許文献１】登録実用新案第３１０７６６７号公報（第３−４頁、図３、図４）
【発明の開示】
【発明が解決しようとする課題】
【０００３】
前記特許文献１による温石浴装置は、温度の高められたモルタルによって利用者の身体を温め、これにより遠赤外線効果またはサウナ効果が得られるものである。しかしながら、例えば、痩身効果すなわちダイエット効果については、汗をかくものの簡単にその効果が有効的に得られるものではなく、その解決策に苦慮しているのが現状である。
【０００４】
そこで、本発明は上記課題に鑑みてなされたもので、有効的にダイエット効果が得られる温石浴装置を提供することを目的とするものである。
【課題を解決するための手段】
【０００５】
かかる目的を達成するため本発明に係る温石浴装置は、温石浴装置本体内に配置され利用者が横たわることができる敷石層と、前記敷石層を加熱する加熱手段と、酸素を前記利用者が十分吸えるように供給する酸素供給装置とを備え、前記加熱手段により前記敷石層を加熱して前記利用者の発汗作用を促すと共に前記酸素供給装置からの酸素を前記利用者に与えるようにした構成からなる。
【０００６】
この際、前記敷石層の側方に配設され供給した水を蒸発させるための蒸発皿樋と前記蒸発皿樋の水を加熱する加熱手段とを設け、前記温石浴装置本体を密閉状に覆うと共に前記蒸発皿の水を加熱して湿度を高めるようにすることが好ましい。
【０００７】
また、所定個所に設けられる音声発生手段と該音声発生手段が接続され前記酸素を吸う呼吸方法が音声で再生できる音声再生装置とを設け、前記音声再生装置を作動させ前記音声発生手段から前記酸素を吸う呼吸方法を音声として流すようにすることが好ましい。
【０００８】
更に、前記加熱手段は、液体が還流する密閉型の放熱管と該液体を加熱する温水器とからなることが好ましい。
【０００９】
前記蒸発皿樋には、ラドン含有水等の温泉水を貯留するようにすることが好ましい。
【発明の効果】
【００１０】
本発明に係る請求項１記載の温石浴装置によれば、加熱手段により敷石層を加熱しその温度を高めると共に酸素供給装置からの酸素が利用者に十分吸えるように与えられるので、利用者はその酸素を口、鼻から十分吸うことにより、血流が早められ発汗作用が促されてリフレッシュ効果や遠赤外線効果が得られるばかりでなく、同時に血液内に多くの酸素を取り込むことができる。これにより、身体の各組織の活動が活発化され体脂肪が燃焼して落とされることになり、有効的にダイエット効果が得られるという効果がある。
【００１１】
また、温石浴装置本体を密閉状に覆い、敷石層の側方に配設された蒸発皿樋の水を加熱して該蒸発皿樋内の水を蒸発させることにより湿度も高めるようにすれば、利用者の発汗作用が一層促され、ダイエット効果がより高められる。
【００１２】
更に、音声発生手段により酸素を吸う呼吸方法を音声として聞くことができるようにしているので、利用者はその音声に従って呼吸するようにすれば、酸素を極めて効率的に血液内に取り込むことができ、ダイエット効果が短期間にかつ一段と有効的に発揮される。
【００１３】
更にまた、前記加熱手段を、敷石層の下側に配置され液体が還流する密閉型の放熱管と、該液体を加熱するヒータとから構成するようにすれば、敷石層を温める際の温度コントロールが容易に行なえるばかりか、有害な電磁波を浴びるおそれも少ないという効果がある。
【００１４】
最後に、蒸発皿内にラドン含有水等の温泉水を貯留するようにすれば、発生するラドンが身体内に入り体内活性が図られ、疲労が回復してリラクゼーション効果が得られるばかりか、ホルミシス効果も得られるという効果がある。
【発明を実施するための最良の形態】
【００１５】
以下、本発明に係る温石浴装置の実施の形態を図面に基づき詳細に説明する。図１は本発明に係る温石浴装置の斜視図、図２は同分解斜視図、図３は同縦断側面図、図４は図３のＸ−Ｘ線拡大断面図である。温石浴装置Ａは、温石浴装置本体Ａ１とその上面に被さるドーム状の覆いカバーＡ２とからなる。
【００１６】
温石浴装置本体Ａ１は、上面が開放する箱枠状の基台１からなる。この基台１は、平面長方形状をなすと共に高さが低く成形され、該基台１内に一人の大人が仰臥できる程度の広さの敷石層２が成形される。該敷石層２は、基台１の長手方向に沿って方形状の石板３を複数枚（例えば６枚）水平に並置してなり、その上面は基台１の上面とほぼ面一となるようにしてある。各石板３には、一側に切欠き３ａが設けられる。これは、前記各切欠き３ａに指を差し込めるようにして各石板３の敷設・取外し作業をし易くするためと、後記するように各石板３上面に残る水を下方へ落させるためである。
【００１７】
前記石板３としては、例えば黙示石、麦飯石、トルマリン鉱石、天然ラジウム鉱石、セリサイトまたは熱変成した火成岩・砂岩であって、これらの粉状物をセラミックである粘土に約３０％重量部混ぜて焼成したもの、または前記粉状物をセメントに約３０％重量部混ぜて固めたものが選択される。なお、このような焼成物またはセメントで固めたものとすることなく、前記黙示石、麦飯石、トルマリン鉱石、天然ラジウム鉱石、火成岩・砂岩をそのまま一枚の石板として使用しても良い。また、図示は省略するが、前記敷石層２をほぼ親指大の砂利を敷き詰めて成形するようにしても良い。この場合、砂利は黙示石、麦飯石、トルマリン鉱石、天然ラジウム鉱石、火成岩・砂岩のうち一種又は２種以上の鉱石を適宜混ぜて使用する。
【００１８】
前記敷石層２の下側に、ステンレス板４を介して加熱手段としての密閉型の放熱管５ａを屈曲させて内部に張り巡らした加熱パネル６が敷設される。放熱管５ａは、樹脂製であって無端状に成形されると共に基台１から外側へ引き出される部分が該基台１の一側に付設される加熱手段としての温水器７に挿通される。放熱管５ａ内には例えば液体として不凍液またはアルコールが充填され、温水器７内のヒータ（図示せず。）で加熱された液体がポンプ（図示せず。）により放熱管５ａ内を循環する。本発明にあっては、液体として不凍液が使用される。
【００１９】
また、前記敷石層２の両外側に、該敷石層２を挟むようにして一対の蒸発皿樋８，８が配設される。更に詳しく説明すると、各蒸発皿樋８は前記ステンレス板４をそのまま両側方向へ延設しかつ屈曲して成形され、その最終端縁は基台１の両側端縁まで到達している。よって、各蒸発皿樋８は上面が開放され、その中に適量の水が供給される。該各蒸発皿樋８内に放熱管５ｂが配設される。該放熱管５ｂは無端状の銅管であって前記温水器７に接続される。この放熱管５ｂは、他にステンレス製または合成樹脂製であっても良い。前記と同様に、放熱管５ｂ内には例えば液体として不凍液またはアルコールが充填され、温水器７内のヒータ（図示せず。）で加熱された液体がポンプ（図示せず。）により放熱管５ｂ内を循環する。本発明にあっては、液体として不凍液が使用される。
【００２０】
前記各蒸発皿樋８には、該各蒸発皿樋８の上面を覆う蓋部材９が嵌められる。該各蓋部材９は、その上面に多くの通気孔１０，１０…が開設される。これは、これら通気孔１０から前記水の蒸気を出すためである。前記各蒸発皿樋８を含めステンレス板４を使用しているのは熱の伝導性が良いからである。各蒸発皿樋８については、他に例えば前記各種鉱石から成形するようにしても良い。また、各蒸発皿樋８の底壁一側に、掃除等のメンテナンスのため該各蒸発皿樋８内に溜まった水を排出する水抜きパイプ１１が取着される。各水抜きパイプ１１の上端には封止栓（図示せず。）が着脱自在に嵌められ、その下端は後記する受皿１３の上面に臨ませてある。前記各蒸発皿樋８内には水が貯留されるが、この場合、温泉水を貯留するようにしている。
【００２１】
前記加熱パネル６及び両蒸発皿樋８，８の下側に、例えば、発泡ウレタンからなる断熱材１２が敷設される。また、温石浴装置本体Ａ１の下部一側に皿状の受皿１３が配置され、前記両水抜きパイプ１１，１１から排出される温泉水は受皿１３に貯留される。この受皿１３は温石浴装置本体Ａ１の一側から引き出せるようになっている。
【００２２】
一方、前記覆いカバーＡ２は、合成樹脂製であって透明または半透明に成形され、前記温石浴装置本体Ａ１の上方を密閉状に覆うことになる。そして、覆いカバーＡ２は、上面が蒲鉾状に湾曲した下カバー部材１４ａと、この下カバー部材１４ａの上面に重なりかつ同じく上面が蒲鉾状に湾曲した上カバー部材１４ｂとからなる。これら上・下カバー部材１４ａ，１４ｂは、それぞれ基台１上面の短手方向の両端側に沿って設けられた２条のレール溝１５，１５に嵌り、それらレール溝１５，１５に沿って摺動する。
【００２３】
下カバー部材１４ａは、その軸線方向の一端面が開放されると共に他端面が閉塞しており、上カバー部材１４ｂは、その軸線方向の両端面が開放されている。この上カバー部材１４ｂの一端面である開放面には、該開放面を塞ぐように半円形状の被せ布地１６が取着される。また、その中央下端部に、仰臥した利用者が顔を外に出すための切欠凹部１７が凹設されている。また、この被せ布地１６の中央部は上下方向に切断されると共に両切断線にはスライドファスナー１６ａが開閉自在に設けられている。上カバー部材１４ｂにおける被せ布地１６と同じ側の周縁に、該上カバー部材１４ｂを摺動動作させるための取っ手１８が設けられる。基台１上面の長手方向の一側に、前記上カバー部材１４ｂの蒲鉾型の断面形状とほぼ同じ形状の衝立板１９が基台１の長手方向と直交する向きに設置される。この衝立板１９は、ポリカーボネートにより成形されるが、他に、ステンレスまたはアルミニウムであっても良い。
【００２４】
また、利用者が酸素を十分吸うことができるように酸素供給装置２１が配設される。該酸素供給装置２１は後記するように主として酸素供給器２１ａ、通気管２２、放出ノズル２０からなる。すなわち、前記衝立板１９の内側に酸素を放出するための放出ノズル２０が配設される。該放出ノズル２０は、温石浴装置本体Ａ１の外側に設置される酸素供給器２１ａに通気管２２を介して接続される。放出ノズル２０は下方を向き、横たわった利用者の鼻付近に近づくようにその高さが選ばれる。利用者が多くの酸素を吸うことができるように、前記放出ノズル２０の周囲には傘状の覆い部材２３が取着される。また、基台１の一側で利用者の顔に近い部位に音声発生手段としてのスピーカ２４が設けられる。該スピーカ２４は音声再生装置（図示せず。）に電気的に接続される。そして、前記スピーカ２４から酸素を吸う呼吸方法を音声として流すようにしている。この呼吸方法は、沢山の酸素を血液内に効率的に取り込むためのものである。
【００２５】
本発明に係る温石浴装置Ａは上記構成からなる。そして、基台１の上面に他端面の閉塞面が前記衝立板１９と反対側に位置するようにして前記下カバー部材１４ａを設置する。更に、基台１の上面に被せ布地１６が衝立板１９と向き合うようにしかつその下カバー部材１４ａの上面に被さるようにして上カバー部材１４ｂを設置する。下カバー部材１４ａと上カバー部材１４ｂとは、常に少なくとも一部が上下に重なるようになっている。これにより、上カバー部材１４ｂを衝立板１９側へ摺動させ、その被せ布地１６側の開放面を衝立板１９の一側面に当接させることにより覆いカバーＡ２内、すなわち温石浴装置Ａ内、が密閉されることになる。
【００２６】
図示は省略するが、前記温水器７には、その流量を制御する制御装置（図示せず。）も一体に設けられる。また、基台１の適宜位置に制御装置に接続される温度センサー（図示せず。）が配置される。そして、前記制御装置により、例えば、放熱管５ａ，５ｂ内の不凍液の温度が約６０〜７０度に設定され、入浴している時の温石浴装置本体Ａ１内の雰囲気の温度は４５〜５５度になるように設定される。更に、前記覆いカバーＡ２で密閉される温石浴装置Ａ内の雰囲気の湿度は７０〜８０％の間で設定される。
【００２７】
次に、本発明に係る温石浴装置Ａの使用方法について説明する。まず、制御装置をオン動作させ、温水器７を作動させて放熱管５ａ，５ｂを約６０〜７０度に加熱する。夏期と冬期とで室温に差があるときは、放熱管５ａ，５ｂ内の不凍液の温度を適宜調整する。そして、温石浴装置Ａ内の雰囲気の温度を４５〜５５度の間で所望の温度に設定する。また、両蒸発皿樋８，８に温泉水を供給する。これにより、温石浴装置本体Ａ１内が、温度４５〜５５度、湿度７０〜８０％の雰囲気になる。
【００２８】
そこで、利用者Ｍは例えば裸になりバスローブをまとって、図３、図５に示すように温石浴装置Ａ内に入って敷石層２の上面に仰臥する。この状態で、上カバー部材１４ｂを摺動させ被せ布地１６の切欠凹部１７から顔ｍを外へ出す。また、覆いカバーＡ２内に顔ｍまですべて入れたいときは、図３鎖線に示すように上カバー部材１４ｂの被せ布地１６側の開放面を衝立板１９の内側面に当接する。この際、酸素の放出ノズル２０が被せ布地１６に当らないようにスライドファスナー１６ａを開いておく。また、いずれの場合も、敷石層２の上面にタオルを敷くようにしても良く、また、枕をかうようにしても良い。
【００２９】
利用者Ｍは、例えば、３０〜４０分の間そのままにし、敷石層２の加熱された各石板３により身体を温める。また、その間、各蒸発皿樋８内の温泉水が蒸発して温石浴装置Ａ内の湿度が７０〜８０％になる。しかも、この場合、各蒸発皿樋８が利用者の両側に配置されるので、利用者Ｍはその両側から包み込まれるようにして蒸気を浴びることができ息苦しさを感ずるようなことはない。これにより、利用者Ｍは血流が早められ体温が上昇すると共に発汗作用が促され、リフレッシュ効果や遠赤外線効果が得られる。
【００３０】
このようにして身体が温められた後、前記放出ノズル２０から利用者Ｍの鼻・口に向けて酸素が放出される。同時に、スピーカ２４から呼吸方法が音声として流れる。この呼吸方法は、腹式呼吸方法であって、例えば、「吸っ〜て〜え〜」（７秒後）「吐〜い〜て〜」（６秒後）…の音声が５回繰り返され、これを１サイクルとして２５〜３０回繰り返される。そこで、利用者Ｍは、その音声に従って酸素を鼻から吸い口から吐く腹式呼吸を繰り返す。この腹式呼吸方法は各ステップによって４段階に分かれており、利用者は各ステップを順に段階を上げて利用することになる。
【００３１】
前記腹式呼吸方法はステップ１での方法であり、ステップ２における腹式呼吸方法は、「吸〜っ〜て〜え〜」（７秒後）「止〜め〜て〜え〜」（３秒）「吐〜い〜て〜え〜」（６秒後）「止〜め〜て〜え〜」（３秒）…の音声が５回繰り返され、これを１サイクルとして２５〜３０回繰り返される。
【００３２】
また、ステップ３における腹式呼吸方法は、「吸〜っ〜て〜え〜」（６秒後）「止〜め〜て〜え〜」（３秒）「吸〜っ〜て〜え〜」（６秒後）「吐〜い〜て〜え〜」（６秒後）「止〜め〜て〜え〜」（３秒）…の音声が５回繰り返され、これを１サイクルとして２５〜３０回繰り返される。
【００３３】
更に、ステップ４における腹式呼吸方法は、「吸〜っ〜て〜え〜」（１０秒後）「止〜め〜て〜え〜」（６秒）「吸〜っ〜て〜え〜」（５秒後）「吐〜い〜て〜え〜」（１０秒後）「止〜め〜て〜え〜」（３秒）…の音声が５回繰り返され、これを１サイクルとして２５〜３０回繰り返される。
【００３４】
このように腹式呼吸を繰り返すことにより、前記のように血流が早くなり大量の酸素が必要になっているところへ腹式呼吸による多くの酸素が十分に供給され、体内すなわち血液内に多くの酸素が効率的に取り込まれる。よって、各組織の活動が活発化して新陳代謝が活発になり、有酸素運動が効率的に行われ体脂肪が燃焼されて落とされることになる。これにより、利用者Ｍは短期間にかつ有効的に減量でき顕著なダイエット効果が得られる。しかも、大腸の働きも活発化して便秘の解消にもつながるばかりか、加齢臭が取れたり体毒を出すこともできる。
【００３５】
このようにして、腹式呼吸が終了した後時間が有る場合は、利用者Ｍは、そのまま仰臥した状態で両手を腰の脇に置き手のひらを上に向け強く握りしめる。次に、指の先まで広げるように意識して手のひらを強く広げる。この動作を５０回程度繰り返す。また、足を自然体とし肩幅より少し小さく広げ、この状態で足首を上下に動かす。この動作を３０回程度繰り返す。このような動作は前記スピーカ２４から音声によって流される。そして、この動作を行うことにより筋肉運動が行え、血液の流れが良くなる。
【００３６】
このように、利用者は身体を温められると共に酸素を口、鼻から十分吸うことにより、血流が早められ発汗作用が促されてリフレッシュ効果や遠赤外線効果が得られるばかりでなく、同時に血液内に多くの酸素を取り込むことができる。これにより、身体の各組織の活動が活発化され体脂肪が燃焼して落とされることになり、有効的にダイエット効果が得られる。また、温石浴装置本体を密閉状に覆い、敷石層の側方に配設された蒸発皿樋の水を加熱して該蒸発皿樋内の水を蒸発させることにより湿度も高めるようにすれば、利用者の発汗作用が一層促され、ダイエット効果がより高められる。更に、音声発生手段により酸素を吸う呼吸方法を音声として聞くことができるようにし、利用者はその音声に従って呼吸するようにすれば、酸素を極めて効率的に血液内に取り込むことができ、ダイエット効果が短期間にかつ一段と有効的に発揮される。なお、これよりダイエット効果が落ちるものの酸素供給装置２１を外し身体を温めると共にスピーカ２４等の音声発生手段のみを使用するようにしても良い。そして、該スピーカ２４から前記腹式呼吸方法の音声を流し、利用者はその音声に従って自然と腹式呼吸をする。
【００３７】
本発明の温石浴装置Ａでは、前記石板３を構成する鉱石として天然ラジウム鉱石、蒸発皿樋８に貯留する水としてラドン含有水をそれぞれ使用することにより、発生するラドンが体内に入って皮膚の細胞を刺激し体内活性が図られ、疲労が回復しリラクゼーション効果が得られる。更に、がん抑制作用・老化防止・糖尿病の発生抑制作用が得られるホルミシス効果も有る。この場合は、顔も含め身体全体を覆いカバーＡ２内に入れ、温石浴装置本体Ａ１内を密閉状に塞いだ状態とする。更に、温石浴装置Ａ内に殺菌装置（図示せず。）を配置すれば、温石浴装置Ａ内の空気や水を殺菌でき、レジオネラ菌などの雑菌の発生が抑えられ、極めて衛生的である。なお、前記水としてラドン含有水以外の鉱泉・温泉といった温泉水を使用するようにしても良い。
【００３８】
一人の利用者Ｍの温浴が済むと、温石浴装置Ａ内の掃除をすることになるが、この場合、上・下カバー部材１４ａ，１４ｂを外すと共に両水抜きパイプ１１，１１の封止栓を抜き、敷石層２の上面に水を流して掃除する。これら水は両蒸発皿樋８，８内に流れ込み、水抜きパイプ１１を介して受皿１３に貯留される。よって、掃除が済んだ後に、受皿１３を抜いてその中に貯留された水を排出する。このように、加熱手段として水槽を使用しないことから、衛生的であるばかりか、大掛かりな貯水・排水構造が不要になって掃除などのメンテナンスが容易となる。
【００３９】
本発明に係る温石浴装置Ａにあっては、放熱管４内の不凍液を温めて敷石層２や蒸発皿樋８内の温泉水を加熱するようにしており、それらを直接にニクロム線といったヒータで温める方式でないことから電磁波による悪影響を受けるおそれが少ない。また、前記上・下カバー部材１４ａ，１４ｂの内面はいずれも鏡面処理を施すか上・下カバー部材１４ａ，１４ｂをステンレス製としても良く、このようにすれば、遠赤外線が効果的に反射されてその遠赤外線効果が一層高められる。
【００４０】
また、基台１の上面一側にスピーカ２４を配置するようにしたが、上カバー部材１４ｂを衝立板１９に当接して覆いカバーＡ２内を密閉するときは、該スピーカ２４を移動自在にして該スピーカ２４を覆いカバーＡ２内に配置できるようにする。また、スピーカ２４の替わりに他の音声発生手段としてイヤホーンやヘッドホーンを耳に当てて聴くようにしても良い。
【００４１】
更に、本発明に係る温石浴装置Ａは、一人の利用者Ｍが仰臥して使用できるタイプについて説明したが、このタイプに限定されるものではなく、例えば数人の利用者Ｍが同時に仰臥して利用できるタイプであっても良い。例えば、図示は省略するが、密閉状態を保持することができる部屋の床面に覆いカバーＡ２を外した複数の温石浴装置本体Ａ１を並置してなる温石浴装置Ａがある。そして、前記部屋の一個所に酸素供給装置２１を配設して該酸素供給装置２１から部屋中に酸素を供給すると共に、各温石浴装置本体Ａ１にはそれぞれスピーカ２４、ヘッドホーン、イヤホーン等の音声発生手段を設けて各利用者に該各音声発生手段により前記腹式呼吸方法を聴かせるようにしても良い。また、前記温石浴装置Ａすなわち部屋の一個所にスピーカ２４を設け、該スピーカ２４から部屋全体に前記腹式呼吸方法の音声を流すようにしても良い。
【００４２】
このように、複数の温石浴装置本体Ａ１，Ａ１…を使用する場合は、隣り合う一対の温石浴装置本体Ａ１，Ａ１の各放熱管５ａ，５ｂを一つの共通する温水器に接続し、該温水器により両温石浴装置本体Ａ１，Ａ１を同時に温めるようにすれば、その分販売コストを低廉にすることができる。また、覆いカバーＡ２を必要としないときは、前記のように覆いカバーＡ２を取り外して温石浴装置Ａを利用しても良い。本発明に係る温石浴装置Ａは温石浴装置本体Ａ１が総てユニット化されているので、互いに必要個所を接続するのみで部屋の床面に設置でき、古いビル内の施工工事も簡単に行える。
【図面の簡単な説明】
【００４３】
【図１】本発明に係る温石浴装置の斜視図。
【図２】同分解斜視図。
【図３】同縦断側面図。
【図４】図３のＸ−Ｘ線拡大断面図。
【図５】温石浴装置の使用状態を示す斜視図。
【符号の説明】
【００４４】
２                    敷石層
５ａ                  加熱手段（放熱管）
５ｂ                  加熱手段（放熱管）
７                    加熱手段（温水器）
８                    蒸発皿樋
２１                  酸素供給装置
２４                  音声発生手段（スピーカ）
Ａ                    温石浴装置
Ａ１                  温石浴装置本体
Ａ２                  覆いカバー
Ｍ                    利用者
【図１】
2007307282.tif 000003
【図２】
2007307282.tif 000004
【図３】
2007307282.tif 000005
【図４】
2007307282.tif 000006
【図５】
2007307282.tif 000007